(57)【要約】【課題】白色画素による輝度上昇を極大化することができる有機発光表示装置を提供すること。【解決手段】本発明の一実施形態による有機発光表示装置は、複数の画素であって、各画素が第１色の光を発光する第１サブ画素、第２色の光を発光する第２サブ画素、第３色の光を発光する第３サブ画素、及び第４色の光を発光する第４サブ画素を含む複数の画素を含み、第４サブ画素は、第１サブ画素、第２サブ画素、及び第３サブ画素の隣接したサブ画素対の間に位置する。【選択図】  図３
2018092921.tif 000002
【特許請求の範囲】
【請求項１】
複数の画素であって、各画素が第１色の光を発光する第１サブ画素、第２色の光を発光する第２サブ画素、第３色の光を発光する第３サブ画素、及び第４色の光を発光する第４サブ画素を含む前記複数の画素を含み、
前記第４サブ画素は、前記第１サブ画素、前記第２サブ画素、及び前記第３サブ画素のうち隣接したサブ画素対の間に位置することを特徴とする、有機発光表示装置。
【請求項２】
第１方向への前記第４サブ画素の幅は、前記第１方向への前記第１サブ画素の幅、前記第１方向への前記第２サブ画素の幅、及び前記第１方向への前記第３サブ画素の幅のそれぞれより小さいことを特徴とする、請求項１に記載の有機発光表示装置。
【請求項３】
前記第１サブ画素は第１カラーフィルターを含み、
前記第２サブ画素は第２カラーフィルターを含み、
前記第３サブ画素は第３カラーフィルターを含み、
前記第４サブ画素は低屈折媒質層を含み、
前記低屈折媒質層の屈折率は、前記第１カラーフィルター、前記第２カラーフィルター、及び前記第３カラーフィルターのそれぞれの屈折率より低いことを特徴とする、請求項１に記載の有機発光表示装置。
【請求項４】
前記複数の画素のうち第１画素の前記第４サブ画素の形態は、前記複数の画素のうち第２画素の前記第４サブ画素の形態と異なり、前記第１画素と前記第２画素は、隣り合うことを特徴とする、請求項１に記載の有機発光表示装置。
【請求項５】
前記複数の画素は、第１方向に隣り合う第１及び第２画素を含み、
前記第１画素の前記第１及び第２サブ画素は、前記第１方向と交差する第２方向に配列され、前記第１画素の前記第１及び第３サブ画素は、前記第１方向に配列され、
前記第２画素の前記第１及び第３サブ画素は、前記第１画素の前記第２サブ画素と前記第１方向に整列されて配列され、前記第２画素の前記第２サブ画素は、前記第１画素の前記第１及び第３サブ画素と前記第１方向に整列されて配列されることを特徴とする、請求項１に記載の有機発光表示装置。
【請求項６】
前記第１画素の前記第４サブ画素は、前記第１画素の前記第２サブ画素と前記第２画素の前記第１サブ画素の間、及び前記第１画素の前記第３サブ画素と前記第２画素の前記第２サブ画素の間に配置されることを特徴とする、請求項５に記載の有機発光表示装置。
【請求項７】
前記複数の画素は、第１方向に隣り合う第１及び第２画素を含み、
前記第１及び第２画素のそれぞれの前記第１から第３サブ画素は、前記第１方向に整列されて配列され、
前記第１画素の前記第４サブ画素は、前記第１画素の前記第３サブ画素と前記第２画素の前記第１サブ画素の間に配置されることを特徴とする、請求項１に記載の有機発光表示装置。
【請求項８】
前記複数の画素は、第２方向に互いに隣り合う第１及び第３画素を含み、
前記第１及び第３画素のそれぞれの前記第１から第３サブ画素は、前記第２方向と交差する第１方向に整列されて配列され、
前記第１画素の前記第４サブ画素は、前記第１画素の前記第１サブ画素と前記第２画素の前記第１サブ画素の間、前記第１画素の前記第２サブ画素と前記第２画素の前記第２サブ画素の間、及び前記第１画素の前記第３サブ画素と前記第２画素の前記第３サブ画素の間に配置されることを特徴とする、請求項１に記載の有機発光表示装置。
【請求項９】
前記複数の画素のそれぞれは、第５色の光を発光する第５サブ画素をさらに含み、
前記複数の画素のそれぞれの画素の前記第４サブ画素は、前記それぞれの画素の前記第１サブ画素、前記第２サブ画素、前記第３サブ画素、及び前記第５サブ画素のうち２つの隣接したサブ画素の間のそれぞれに配置されることを特徴とする、請求項１に記載の有機発光表示装置。
【請求項１０】
第１方向への前記第４サブ画素の幅は、前記第１方向への前記第１サブ画素の幅、前記第１方向への前記第２サブ画素の幅、前記第１方向への前記第３サブ画素の幅、及び前記第１方向への前記第５サブ画素の幅のそれぞれより小さいことを特徴とする、請求項９に記載の有機発光表示装置。
【請求項１１】
前記第１サブ画素は第１カラーフィルターを含み、
前記第２サブ画素は第２カラーフィルターを含み、
前記第３サブ画素は第３カラーフィルターを含み、
少なくとも１つのブラックマトリックスが、前記第１カラーフィルター、前記第２カラーフィルター、及び前記第３カラーフィルターのうち隣接した２つのカラーフィルターの間のそれぞれに配置されることを特徴とする、請求項１に記載の有機発光表示装置。
【請求項１２】
前記複数の画素は、第１方向に隣り合う第１及び第２画素を含み、
前記第１及び第２画素のそれぞれにおいて、前記第１及び第２サブ画素は、前記第１方向に配列され、第１及び第５サブ画素は、前記第１方向と交差する第２方向に配列され、第２及び第３サブ画素は、前記第２方向に配列され、
前記第１画素の前記第４サブ画素は、前記第１画素の前記第２サブ画素と前記第２画素の前記第１サブ画素の間、及び前記第１画素の前記第３サブ画素と前記第２画素の前記第５サブ画素の間に配置されることを特徴とする、請求項９に記載の有機発光表示装置。
【請求項１３】
前記複数の画素は、第２方向に隣り合う第１及び第３画素を含み、
前記第１及び第３画素のそれぞれにおいて、前記第１及び第２サブ画素は、第１方向に配列され、前記第１及び第５サブ画素は、前記第１方向と交差する前記第２方向に配列され、前記第２及び第３サブ画素は前記第２方向に配列され、
前記第１画素の前記第４サブ画素は、前記第１画素の前記第５サブ画素と前記第３画素の前記第１サブ画素の間、及び前記第１画素の前記第３サブ画素と前記第３画素の前記第２サブ画素の間に配置されることを特徴とする、請求項９に記載の有機発光表示装置。
【請求項１４】
前記第５色の光は、前記第１色の光、前記第２色の光、前記第３色の光、及び前記第４色の光のいずれか１つと同一であることを特徴とする、請求項９に記載の有機発光表示装置。
【請求項１５】
前記第４色の光は白色光であることを特徴とする、請求項１に記載の有機発光表示装置。
【請求項１６】
前記第４サブ画素の面積は、前記第１サブ画素、前記第２サブ画素、及び前記第３サブ画素のそれぞれの面積より小さいか同一であることを特徴とする、請求項１に記載の有機発光表示装置。
【請求項１７】
前記第１サブ画素、前記第２サブ画素、及び前記第３サブ画素の少なくとも１つは、少なくとも２つの側面で前記第４サブ画素と隣り合うことを特徴とする、請求項１に記載の有機発光表示装置。
【請求項１８】
前記第１サブ画素は第１カラーフィルターを含み、
前記第２サブ画素は第２カラーフィルターを含み、
前記第３サブ画素は第３カラーフィルターを含み、
前記第４サブ画素は低屈折媒質層を含み、
前記低屈折媒質層の屈折率は、前記第１カラーフィルター、前記第２カラーフィルター、及び前記第３カラーフィルターのそれぞれの屈折率より低く、
少なくとも１つのブラックマトリックスが、前記第１カラーフィルター、前記第２カラーフィルター、前記第３カラーフィルター、及び前記低屈折媒質層のうち隣接した２つの間のそれぞれに配置されることを特徴とする、請求項１に記載の有機発光表示装置。
【請求項１９】
発光画素と、
前記画素に含まれた複数の相異なるカラーサブ画素とを含み、
前記カラーサブ画素のいずれか１つは、各画素の隣接した他のカラーサブ画素のうち少なくとも２対の間に位置することを特徴とする、有機発光表示装置。
【請求項２０】
２つの隣接したカラーサブ画素は、互いに異なる２つの隣接した画素のうちの１つにそれぞれ属し、前記２つの隣接したカラーサブ画素は、相異なるカラー色を発光することを特徴とする、請求項１９に記載の有機発光表示装置。
【請求項２１】
複数の画素であって、各画素が第１色の光を発光する第１サブ画素、第２色の光を発光する第２サブ画素、第３色の光を発光する第３サブ画素、及び第４色の光を発光する第４サブ画素を含む前記複数の画素を含み、
前記第４サブ画素は、前記第１サブ画素及び前記第２サブ画素と隣り合って配置される第１部分、及び前記第１サブ画素及び前記第３サブ画素と隣り合って配置される第２部分を有することを特徴とする、有機発光表示装置。
【請求項２２】
前記第４サブ画素の前記第１部分は、前記第１サブ画素と前記第２サブ画素の間に配置されることを特徴とする、請求項２１に記載の有機発光表示装置。
【請求項２３】
前記第４サブ画素の前記第２部分は、前記第１サブ画素と前記第３サブ画素の間に配置されることを特徴とする、請求項２１に記載の有機発光表示装置。
【請求項２４】
前記第４サブ画素は白色であることを特徴とする、請求項２１に記載の有機発光表示装置。
【発明の詳細な説明】
【技術分野】
【０００１】
本発明は有機発光表示装置に関するものである。
【背景技術】
【０００２】
情報化社会が発展するにつれて、映像を表示するための表示装置に対する要求が多様な形態に増加している。よって、近年には、液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ）のような多様な表示装置が活用されている。
【０００３】
表示装置のうち、有機発光表示装置は自己発光型のもので、液晶表示装置（ＬＣＤ）に比べ、視野角、対照比などに優れ、別途のバックライトが不要であって軽薄短小型が可能であり、消費電力が少なくて有利な利点がある。また、有機発光表示装置は、直流低電圧による駆動が可能であり、応答速度が早く、特に製造コストが低い利点がある。
【０００４】
有機発光表示装置は、有機発光素子をそれぞれ含む画素、及び画素を定義するために画素を区画するバンクを含む。バンクは画素定義膜として機能する。有機発光素子は、アノード電極、正孔輸送層（ｈｏｌｅ  ｔｒａｎｓｐｏｒｔｉｎｇ  ｌａｙｅｒ）、有機発光層（ｏｒｇａｎｉｃ  ｌｉｇｈｔ  ｅｍｉｔｔｉｎｇ  ｌａｙｅｒ）、電子輸送層（ｅｌｅｃｔｒｏｎ  ｔｒａｎｓｐｏｒｔｉｎｇ  ｌａｙｅｒ）、及びカソード電極を含む。この場合、アノード電極に高電位電圧が印加されるとともにカソード電極に低電位電圧が印加されると、正孔と電子がそれぞれ正孔輸送層と電子輸送層を介して有機発光層に移動し、有機発光層で互いに結合して発光する。
【０００５】
画素のそれぞれは、高輝度を具現するために、赤色光を発光する赤色画素、緑色光を発光する緑色画素、及び青色光を発光する青色画素の外に、白色光を発光する白色画素をさらに含むことができる。この場合、白色画素が高輝度の具現に最大の影響を及ぼすことになる。
【発明の概要】
【発明が解決しようとする課題】
【０００６】
本発明は白色画素を画素内に適切に配置することで、白色画素による輝度上昇を極大化することができる有機発光表示装置を提供する。
【課題を解決するための手段】
【０００７】
本発明の一実施形態による有機発光表示装置は、複数の画素であって、各画素が第１色の光を発光する第１サブ画素、第２色の光を発光する第２サブ画素、第３色の光を発光する第３サブ画素、及び第４色の光を発光する第４サブ画素を含む前記複数の画素を含み、前記第４サブ画素は前記第１サブ画素、前記第２サブ画素、及び前記第３サブ画素の隣接したサブ画素対の間に位置する。
【０００８】
本発明の他の実施形態による有機発光表示装置は、発光画素と、前記画素に含まれた複数の相異なるカラーサブ画素とを含み、前記カラーサブ画素のいずれか１つは、各画素の隣接した他のカラーサブ画素の少なくとも２対の間に位置する。
【０００９】
本発明のさらに他の実施形態による有機発光表示装置は、複数の画素であって、各画素が第１色の光を発光する第１サブ画素、第２色の光を発光する第２サブ画素、第３色の光を発光する第３サブ画素、及び第４色の光を発光する第４サブ画素を含む前記複数の画素を含み、前記第４サブ画素は、前記第１サブ画素及び前記第２サブ画素と隣り合って配置される第１部分、及び前記第１サブ画素及び前記第３サブ画素と隣り合って配置される第２部分を有する。
【発明の効果】
【００１０】
本発明の実施形態は、画素のそれぞれの第４サブ画素を第１から第３サブ画素の間に配置する。その結果、本発明の実施形態は、第１から第３サブ画素の間で第４サブ画素を用いて白色光を発光することができるので、白色画素による輝度上昇を極大化することができる。
【００１１】
また、本発明の実施形態は、低屈折媒質層を第４画素に対応するように配置する。その結果、本発明の実施形態は、第４画素と隣り合う画素の有機発光層から発光された光を、低屈折媒質層とカラーフィルターの屈折率の差によって全反射又は屈折させることによって、表示パネルの正面方向に進行させることができる。よって、本発明の実施形態は、第４画素と隣り合う画素の有機発光層から発光された光が損失されることを減らすことができる。
【００１２】
その上、本発明の実施形態は、第４画素の有機発光層から発光された光を低屈折媒質層とカラーフィルターの屈折率の差によって表示パネルの側面方向に屈折させることができる。よって、本発明の実施形態は、第４画素の有機発光層から発光された光によって混色が発生することを減らすことができる。
【図面の簡単な説明】
【００１３】
【図１】本発明の一実施形態による有機発光表示装置を示す斜視図である。
【図２】図１の第１基板、ゲート駆動部、ソースドライブＩＣ、軟性フィルム、回路基板、及びタイミング制御部を示す平面図である。
【図３】表示領域の画素の一例を示す平面図である。
【図４Ａ】図３の線Ｉ−Ｉ’についての一例を示す断面図である。
【図４Ｂ】図３の線Ｉ−Ｉ’についての他の例を示す断面図である。
【図５】図４ＡのＡ領域を詳細に示す拡大断面図である。
【図６】表示領域の画素の他の例を示す平面図である。
【図７】表示領域の画素のさらに他の例を示す平面図である。
【図８】表示領域の画素のさらに他の例を示す平面図である。
【図９Ａ】第１、第２、第３、及び第５サブ画素と第４サブ画素の形態の一例を示す図である。
【図９Ｂ】第１、第２、第３、及び第５サブ画素と第４サブ画素の形態の他の例を示す図である。
【発明を実施するための形態】
【００１４】
明細書全般にわたって、同じ参照符号は実質的に同一の構成要素を意味する。以下の説明で、本発明の核心構成と関連がない場合、及び本発明の技術分野において公知となった構成及び機能についての詳細な説明は省略することができる。本明細書で記述する用語の意味は、次のように理解されなければならないであろう。
【００１５】
本発明の利点及び特徴、そして、それらを達成する方法は、添付の図面と共に詳細に後述する実施形態を参照すると明らかになるであろう。しかし、本発明は、以下に開示する実施形態に限定されるものではなく、互いに異なる様々な形態に具現可能であり、単に本発明の実施形態は、本発明の開示を完全になるようにし、本発明の属する技術分野における通常の知識を有する者に発明の範疇を完全に知らせるために提供するものであり、本発明は、請求項の範疇によって定義されるだけである。
【００１６】
本発明の実施形態を説明するための図面に開示した形状、大きさ、比率、角度、個数などは例示的なものであるため、本発明が図示の事項に限定されるものではない。明細書全般にわたって同じ参照符号は同一の構成要素を指す。また、本発明の説明において、関連の公知技術についての具体的な説明が本発明の要旨をあいまいにする可能性があると判断される場合には、その詳細な説明を省略する。
【００１７】
本明細書で言及する「含む」、「有する」、「なる」などが使用される場合、「〜のみ」が使用されない限り、他の部分が追加されてもよい。構成要素を単数で表現した場合には、特に明示的な記載事項がない限り、複数の場合を含む。
【００１８】
構成要素の解釈において、別途の明示的な記載がなくても誤差範囲を含むものと解釈する。
【００１９】
位置関係についての説明の場合、例えば、「〜上に」、「〜上部に」、「〜下部に」、「〜側に」などのように２つの部分の位置関係が説明される場合、「すぐ」又は「直接」が使用されない限り、２つの部分の間に１つ以上の他の部分が位置することもできる。
【００２０】
時間関係についての説明の場合、例えば、「〜後に」、「〜に次いで」、「〜次に」、「〜前に」などのように時間的前後関係が説明される場合、「すぐ」又は「直接」が使用されない限り、連続的ではない場合も含むことができる。
【００２１】
第１、第２などが様々な構成要素を記述するために使用されるが、これらの構成要素はこれらの用語によって制限されない。これらの用語は、単に１つの構成要素を他の構成要素と区別するために使用するものである。したがって、以下で言及する第１構成要素は、本発明の技術的思想内で第２構成要素であってもよい。
【００２２】
「Ｘ軸方向」、「Ｙ軸方向」及び「Ｚ軸方向」は、相互間の関係が垂直をなす幾何学的な関係のみを有するものと解釈されてはならず、本発明の構成が機能的に作用することができる範囲内でもっと広い方向性を有することを意味し得る。
【００２３】
「少なくとも１つ」という用語は、１つ以上の関連項目から提示可能な全ての組合せを含むものと理解しなければならない。例えば、「第１項目、第２項目、及び第３項目のうち少なくとも１つ」の意味は、第１項目、第２項目、又は第３項目のそれぞれだけでなく、第１項目、第２項目、及び第３項目のうち２つ以上から提示可能な全ての項目の組合せを意味し得る。
【００２４】
本発明の様々な例のそれぞれの特徴が、部分的又は全体的に互いに結合又は組合せ可能であり、技術的に様々な連動及び駆動が可能であり、各実施形態が互いに独立して実施されてもよく、関連関係をもって共に実施されてもよい。
【００２５】
以下、添付図面に基づいて本発明の好ましい実施形態を詳細に説明する。
【００２６】
図１は、本発明の一実施形態による有機発光表示装置を示す斜視図である。図２は、図１の第１基板、ゲート駆動部、ソースドライブＩＣ、軟性フィルム、回路基板、及びタイミング制御部を示す平面図である。
【００２７】
図１及び図２を参照すると、本発明の一実施形態による表示装置１００は、表示パネル１１０、ゲート駆動部１２０、ソースドライブ集積回路（ｉｎｔｅｇｒａｔｅｄ  ｃｉｒｃｕｉｔ、以下「ＩＣ」という）１３０、軟性フィルム１４０、回路基板１５０、及びタイミング制御部１６０を含む。
【００２８】
表示パネル１１０は、第１基板１１１及び第２基板１１２を含む。第２基板１１２は、封止基板であってもよい。第１基板１１１は、プラスチックフィルム（ｐｌａｓｔｉｃ  ｆｉｌｍ）又はガラス基板（ｇｌａｓｓ  ｓｕｂｓｔｒａｔｅ）であってもよい。第２基板１１２は、プラスチックフィルム、ガラス基板、又は封止フィルム（保護フィルム）であってもよい。
【００２９】
第２基板１１２と向き合う第１基板１１１の一面上には、ゲートライン、データライン、及び複数の画素が形成される（簡略化のため不図示）。複数の画素は、ゲートラインとデータラインの交差構造によって定義される領域に設けられる。各画素は、複数のサブ画素を含むことができる。
【００３０】
画素のそれぞれ又はサブ画素のそれぞれは、薄膜トランジスタと第１電極、有機発光層、及び第２電極を備える有機発光素子を含み得る。画素のそれぞれは、薄膜トランジスタによってゲートラインからゲート信号が入力される場合、データラインのデータ電圧によって有機発光素子に所定の電流を供給する。これにより、画素のそれぞれの有機発光素子は所定の電流によって所定の明るさで発光することができる。画素及びサブ画素についての詳細な説明は、図３〜図８を参照して後述する。
【００３１】
表示パネル１１０は、図２のように、画素が形成されて画像を表示する表示領域ＤＡと、画像を表示しない非表示領域ＮＤＡとを含み得る。表示領域ＤＡには、ゲートライン、データライン、及び複数の画素が形成され得る。非表示領域ＮＤＡには、ゲート駆動部１２０とパッドが形成され得る。
【００３２】
ゲート駆動部１２０は、タイミング制御部１６０から入力されるゲート制御信号に応じてゲートラインにゲート信号を供給する。ゲート駆動部１２０は、表示パネル１１０の表示領域ＤＡの一側又は両側の外側部の非表示領域ＤＡに、ＧＩＰ（ｇａｔｅ  ｄｒｉｖｅｒ  ｉｎ  ｐａｎｅｌ）方式で形成され得る。若しくは、ゲート駆動部１２０は、駆動チップで製作されて軟性フィルムに実装され、ＴＡＢ（ｔａｐｅ  ａｕｔｏｍａｔｅｄ  ｂｏｎｄｉｎｇ）方式で、表示パネル１１０の表示領域ＤＡの一側又は両側の外側部の非表示領域ＤＡに付着され得る。
【００３３】
ソースドライブＩＣ１３０は、タイミング制御部１６０からデジタルビデオデータとソース制御信号を受ける。ソースドライブＩＣ１３０は、ソース制御信号に応じてデジタルビデオデータをアナログデータ電圧に変換してデータラインに供給する。ソースドライブＩＣ１３０は、駆動チップで製作される場合、ＣＯＦ（ｃｈｉｐ  ｏｎ  ｆｉｌｍ）又はＣＯＰ（ｃｈｉｐ  ｏｎ  ｐｌａｓｔｉｃ）方式で軟性フィルム１４０に実装され得る。
【００３４】
表示パネル１１０の非表示領域ＮＤＡには、データパッドのようなパッドが形成され得る。軟性フィルム１４０には、パッドとソースドライブＩＣ１３０を連結する配線、及びパッドと回路基板１５０の配線を連結する配線が形成され得る。軟性フィルム１４０は、異方性導電フィルム（ａｎｉｓｏｔｒｏｐｉｃ  ｃｏｎｄｕｃｔｉｖｅ  ｆｉｌｍ）を用いてパッド上に付着され、これによってパッドと軟性フィルム１４０の配線が連結できる。
【００３５】
回路基板１５０は、軟性フィルム１４０に付着され得る。回路基板１５０には、複数の駆動チップで具現された多数の回路が含まれ（例えば実装され）得る。例えば、回路基板１５０には、タイミング制御部１６０が実装され得る。回路基板１５０は、プリント基板（ｐｒｉｎｔｅｄ  ｃｉｒｃｕｉｔ  ｂｏａｒｄ）又はフレキシブルプリント基板（ｆｌｅｘｉｂｌｅ  ｐｒｉｎｔｅｄ  ｃｉｒｃｕｉｔ  ｂｏａｒｄ）であり得る。
【００３６】
タイミング制御部１６０は、回路基板１５０のケーブルを介して、外部のシステムボードからデジタルビデオデータとタイミング信号を受ける。タイミング制御部１６０は、タイミング信号に応じて、ゲート駆動部１２０の動作タイミングを制御するためのゲート制御信号とソースドライブＩＣ１３０を制御するためのソース制御信号を発生する。タイミング制御部１６０は、ゲート制御信号をゲート駆動部１２０に供給し、ソース制御信号をソースドライブＩＣ１３０に供給する。
【００３７】
図３は、表示領域の画素の一例を示す平面図である。
【００３８】
図３では、第１方向（ｘ軸方向）に隣り合う画素を第１及び第２画素Ｐ１、Ｐ２と呼ぶ。
【００３９】
図３を参照すると、画素Ｐ１、Ｐ２のそれぞれは、第１から第４サブ画素ＳＰ１〜ＳＰ４を含む。第１サブ画素ＳＰ１は、第１色の光を発光し、第２サブ画素ＳＰ２は、第２色の光を発光し、第３サブ画素ＳＰ３は、第３色の光を発光し、第４サブ画素ＳＰ４は、第４色の光を発光する。例えば、第１サブ画素ＳＰ１は、赤色光を発光する赤色サブ画素、第２サブ画素ＳＰ２は、緑色光を発光する緑色サブ画素、第３サブ画素ＳＰ３は、青色光を発光する青色サブ画素、第４サブ画素ＳＰ４は、白色光を発光する白色サブ画素であり得るが、本発明の実施形態はこれに限定されない。サブ画素の他のカラー組合せも可能である。例えば、サブ画素のカラー組合せは、ＣＹＧＭ（シアン、イエロー、グリーン、マゼンダ）フィルタパターン、又はＲＧＢＥ（レッド、グリーン、ブルー、エメラルド）フィルタパターンを含み得る。
【００４０】
カラー光を発光するサブ画素は、カラー光を発光する発光層を含む場合、及び／又は白色光を発光する発光層と特定のカラー光のためのカラーフィルターとを含む場合があり得る。
【００４１】
第１画素Ｐ１の第１から第４サブ画素ＳＰ１〜ＳＰ４は、第２画素Ｐ２の第１から第４サブ画素ＳＰ１〜ＳＰ４とは異なるように配置される。特に、第１画素Ｐ１の第１から第３サブ画素ＳＰ１〜ＳＰ３の配置は、第２画素Ｐ２の第１から第３サブ画素ＳＰ１〜ＳＰ３の配置と異なっていることから、第１画素Ｐ１の第４サブ画素ＳＰ４の形態は、第２画素Ｐ２の第４サブ画素ＳＰ４の形態と異なっている。
【００４２】
具体的に、第１画素Ｐ１の第１及び第２サブ画素ＳＰ１、ＳＰ２は、図３のように、第１方向（ｘ軸方向）と交差する第２方向（ｙ軸方向）に配列され、第１及び第３サブ画素ＳＰ１、ＳＰ３は第１方向（ｘ軸方向）に配列され得る。これに対し、第２画素Ｐ２の第１及び第３サブ画素ＳＰ１、ＳＰ３は、図３のように、第１方向（ｘ軸方向）に配列され、第２及び第３サブ画素ＳＰ２、ＳＰ３は第２方向（ｙ軸方向）に配列され得る。また、第１画素Ｐ１の第１及び第３サブ画素ＳＰ１、ＳＰ３と、第２画素Ｐ２の第２サブ画素ＳＰ２とは、第１方向（ｘ軸方向）に整列されて配列され、第１画素Ｐ１の第２サブ画素ＳＰ２と、第２画素Ｐ２の第１及び第３サブ画素ＳＰ１、ＳＰ３とは、第１方向（ｘ軸方向）に整列されて配列され得る。
【００４３】
これにより、第１画素Ｐ１の第４サブ画素ＳＰ４は、第１及び第２サブ画素ＳＰ１、ＳＰ２の間、及び第１及び第３サブ画素ＳＰ１、ＳＰ３の間に配置できる。また、第１画素Ｐ１の第４サブ画素ＳＰ４は、第１画素Ｐ１の第３サブ画素ＳＰ３と第２画素Ｐ２の第２サブ画素ＳＰ２の間、及び第１画素Ｐ１の第２サブ画素ＳＰ２と第２画素Ｐ２の第１サブ画素ＳＰ１の間に配置できる。また、第１画素Ｐ１の第４サブ画素ＳＰ４は、第１画素Ｐ１の第２サブ画素ＳＰ２と、それと隣り合う他の第１画素Ｐ１の第１サブ画素ＳＰ１の間に配置できる。
【００４４】
第２画素Ｐ２の第４サブ画素ＳＰ４は、第１及び第３サブ画素ＳＰ１、ＳＰ３の間、及び第２及び第３サブ画素ＳＰ２、ＳＰ３の間に配置され得る。また、第２画素Ｐ２の第４サブ画素ＳＰ４は、第２画素Ｐ２の第２サブ画素ＳＰ２と第１画素Ｐ１の第１サブ画素ＳＰ１の間、及び第２画素Ｐ２の第３サブ画素ＳＰ３と、第１画素Ｐ１の第２サブ画素ＳＰ２の間に配置され得る。また、第２画素Ｐ２の第４サブ画素ＳＰ４は、第２画素Ｐ２の第１サブ画素ＳＰ１と、それと隣り合う他の第２画素Ｐ２の第１サブ画素ＳＰ１の間に配置され得る。
【００４５】
したがって、第１画素Ｐ１と第２画素Ｐ２のそれぞれにおいて、第１サブ画素ＳＰ１、第２サブ画素ＳＰ２、及び第３サブ画素ＳＰ３のいずれも直接隣り合わず、これらのサブ画素のうち第１方向（Ｘ軸方向）又は第２方向（Ｙ軸方向）に隣り合う２つの間には、第４サブ画素ＳＰ４が配置される。本明細書で、第１サブ画素ＳＰ１、第２サブ画素ＳＰ２、及び第３サブ画素ＳＰ３のうち少なくとも２つのサブ画素は、それらの間に第４サブ画素ＳＰ４が配置されることを除き、隣り合っている。
【００４６】
また、隣接した第１画素Ｐ１と第２画素Ｐ２の間において、第１画素Ｐ１の第１サブ画素ＳＰ１、第２サブ画素ＳＰ２、及び第３サブ画素ＳＰ３と、第２画素Ｐ２の第１サブ画素ＳＰ１、第２サブ画素ＳＰ２、及び第３サブ画素ＳＰ３のいずれも直接隣り合わず、これらのサブ画素のうち隣り合う２つの間には、第１画素Ｐ１と第２画素Ｐ２のいずれか１画素の第４サブ画素ＳＰ４が配置される。例えば、第１方向（Ｘ軸方向）に隣り合う第１画素Ｐ１の第３サブ画素ＳＰ３と、第２画素Ｐ２の第２サブ画素ＳＰ２の間には、第１画素Ｐ１の第４サブ画素ＳＰ４が配置される。第２方向（Ｙ軸方向）に隣り合う第１画素Ｐ１の第３サブ画素ＳＰ３と、第２画素Ｐ２の第１サブ画素ＳＰ１の間には、第１画素Ｐ１の第４サブ画素ＳＰ４が配置される。
【００４７】
また、第１画素Ｐ１の第１サブ画素ＳＰ１、第２サブ画素ＳＰ２、及び第３サブ画素ＳＰ３と、第２画素Ｐ２の第１サブ画素ＳＰ１、第２サブ画素ＳＰ２、及び第３サブ画素ＳＰ３のうちでは、これらの間に第１画素Ｐ１又は第２画素Ｐ２の第４サブ画素ＳＰ４が配置されることを除いても、２つの同色のサブ画素のいずれも隣り合わない。
【００４８】
画素Ｐ１、Ｐ２のそれぞれの第１方向（Ｘ軸方向）への第４サブ画素ＳＰ４の幅Ｗ４は、第１方向（Ｘ軸方向）への第１サブ画素ＳＰ１の幅Ｗ１、第１方向（Ｘ軸方向）への第２サブ画素ＳＰ２の幅Ｗ２、及び第１方向（Ｘ軸方向）への第３サブ画素ＳＰ３の幅Ｗ３より小さく形成され得る。第１方向（Ｘ軸方向）への第４サブ画素ＳＰ４の幅が、第１方向（Ｘ軸方向）への第１から第３サブ画素ＳＰ１、ＳＰ２、ＳＰ３のそれぞれの幅Ｗ１／Ｗ２／Ｗ３より小さくても、第４サブ画素ＳＰ４が第１から第３サブ画素ＳＰ１〜ＳＰ３の間に配置されるので、画素Ｐ１、Ｐ２のそれぞれにおいて、第４サブ画素ＳＰ４の面積は第１から第３サブ画素ＳＰ１〜ＳＰ３のそれぞれの面積とほぼ同一に形成できる。すなわち、本発明の実施形態は、第４サブ画素ＳＰ４を画素Ｐ１、Ｐ２のそれぞれにおいて適切に配置することで、第４サブ画素ＳＰ４による輝度上昇を極大化することができる。他の例として、画素Ｐ１、Ｐ２のそれぞれにおいて、第４サブ画素ＳＰ４の領域は、第１から第３サブ画素ＳＰ１、ＳＰ２、ＳＰ３のそれぞれの領域より小さい。
【００４９】
以上で説明したように、本発明の実施形態は、画素Ｐ１、Ｐ２のそれぞれの第４サブ画素ＳＰ４を、それぞれの第１から第３サブ画素ＳＰ１〜ＳＰ３のうち２つのサブ画素の間に配置する。したがって、本発明の実施形態は、第１から第３サブ画素ＳＰ１〜ＳＰ３の間で第４サブ画素ＳＰ４を用いて白色光を発光することができるので、白色画素による輝度上昇を極大化することができる。
【００５０】
一方、発明の詳細な説明では隣り合う第１画素Ｐ１と第２画素Ｐ２が第１方向（Ｘ軸方向）に隣り合う関係のものを例示したが、第２方向（Ｙ軸方向）に隣り合う画素にも同一又は類似の説明が適用可能である。
【００５１】
例えば、第３画素Ｐ３は、第２方向（Ｙ軸方向）に第１画素Ｐ１と第２画素Ｐ２の両方と隣り合ってよい。隣り合う第３画素Ｐ３の第１サブ画素ＳＰ１と、第１画素Ｐ１の第２サブ画素ＳＰ２の間には、第１画素Ｐ１の第４サブ画素ＳＰ４が配置される。隣り合う第３画素Ｐ３の第３サブ画素ＳＰ３と、第２画素Ｐ２の第１サブ画素ＳＰ１の間には、第２画素Ｐ２の第４サブ画素ＳＰ４が配置される。
【００５２】
図４Ａは、図３の線Ｉ−Ｉ’についての断面図である。
【００５３】
図４Ａを参照すると、第２基板１１２と向き合う第１基板１１１の一面上には、バッファー膜が形成される。バッファー膜は、透湿に弱い第１基板１１１を通じて浸透する水分から薄膜トランジスタ２１０と有機発光素子２６０を保護するために、第１基板１１１の一面上に形成される。バッファー膜は、交互に積層された複数の無機膜からなってもよい。例えば、バッファー膜は、シリコン酸化膜（ＳｉＯｘ）、シリコン窒化膜（ＳｉＮｘ）、及びＳｉＯＮのいずれか１つ以上の無機膜が交互に積層された多重膜で形成されてもよい。バッファー膜は省略することもできる。
【００５４】
バッファー膜上には、薄膜トランジスタ２１０が形成される。第１から第４サブ画素ＳＰ１、ＳＰ２、ＳＰ３、ＳＰ４のそれぞれの第１電極２６１は、少なくとも１つの薄膜トランジスタに接続され得る。例えば、第４サブ画素ＳＰ４の第１電極２６１は、第１及び第２サブ画素ＳＰ１、ＳＰ２の間で薄膜トランジスタ２１０に接続されるが、これに限定されない。すなわち、第４サブ画素ＳＰ４の第１電極２６１は、第１及び第３サブ画素ＳＰ１、ＳＰ３の間で、又はその他の領域で薄膜トランジスタ２１０に接続され得る。
【００５５】
図４Ａ及び図５を参照すると、薄膜トランジスタ２１０は、アクティブ層２１１、ゲート電極２１２、ソース電極２１３及びドレイン電極２１４を含む。図５では、ゲート電極２１２がアクティブ層２１１の上部に位置する上部ゲート（トップゲート、ｔｏｐ  ｇａｔｅ）方式で形成された薄膜トランジスタ２１０を例示したが、これに限定されない。例えば、薄膜トランジスタ２１０は、ゲート電極２１２がアクティブ層２１１の下部に位置する下部ゲート（ボトムゲート、ｂｏｔｔｏｍ  ｇａｔｅ）方式、又はゲート電極２１２がアクティブ層２１１の上部と下部に共に位置するダブルゲート（ｄｏｕｂｌｅ  ｇａｔｅ）方式で形成されてもよい。
【００５６】
バッファー膜上には、アクティブ層２１１が形成される。アクティブ層２１１は、シリコン系半導体物質又は酸化物系半導体物質で形成され得る。バッファー膜とアクティブ層２１１の間には、アクティブ層２１１に入射する外部光を遮断するための遮光層が形成され得る。
【００５７】
アクティブ層２１１上には、ゲート絶縁膜２２０が形成され得る。ゲート絶縁膜２２０は、無機膜、例えばシリコン酸化膜（ＳｉＯｘ）、シリコン窒化膜（ＳｉＮｘ）、又はこれらの多重膜で形成され得る。
【００５８】
ゲート絶縁膜２２０上には、ゲート電極２１２とゲートラインが形成され得る。ゲート電極２１２とゲートラインは、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）及び銅（Ｃｕ）のいずれか１種又はこれらの合金からなる単一層又は多重層で形成され得る。
【００５９】
ゲート電極２１２とゲートライン上には、層間絶縁膜２３０が形成され得る。層間絶縁膜２３０は、無機膜、例えばシリコン酸化膜（ＳｉＯｘ）、シリコン窒化膜（ＳｉＮｘ）、又はこれらの多重膜で形成され得る。
【００６０】
層間絶縁膜２３０上には、ソース電極２１３、ドレイン電極２１４、及びデータラインが形成され得る。ソース電極２１３とドレイン電極２１４のそれぞれは、ゲート絶縁膜２２０と層間絶縁膜２３０を貫くコンタクトホールを介してアクティブ層２１１に接続され得る。ソース電極２１３、ドレイン電極２１４、及びデータラインは、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）及び銅（Ｃｕ）のいずれか１種、又はこれらの合金からなる単一層又は多重層で形成され得る。
【００６１】
ソース電極２１３、ドレイン電極２１４、及びデータライン上には、薄膜トランジスタ２１０を絶縁するための保護膜２４０が形成され得る。保護膜２４０は、無機膜、例えばシリコン酸化膜（ＳｉＯｘ）、シリコン窒化膜（ＳｉＮｘ）、又はこれらの多重膜で形成され得る。
【００６２】
保護膜２４０上には、薄膜トランジスタ２１０による段差を無くして平坦にするための平坦化膜２５０が形成され得る。平坦化膜２５０は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）などの有機膜で形成され得る。
【００６３】
平坦化膜２５０上には、有機発光素子２６０とバンク２７０が形成される。有機発光素子２６０は、第１電極２６１、有機発光層２６２、及び第２電極２６３を含む。第１電極２６１はアノード電極、第２電極２６３はカソード電極であり得る。
【００６４】
第１電極２６１は、平坦化膜２５０上に形成され得る。第１電極２６１は、保護膜２４０と平坦化膜２５０を貫くコンタクトホールを介して、薄膜トランジスタ２１０のドレイン電極２１４（又はソース電極２１３）に接続される。第１電極２６１は、アルミニウムとチタンの積層構造（Ｔｉ／Ａｌ／Ｔｉ）、アルミニウムとＩＴＯの積層構造（ＩＴＯ／Ａｌ／ＩＴＯ）、ＡＰＣ合金、及びＡＰＣ合金とＩＴＯの積層構造（ＩＴＯ／ＡＰＣ／ＩＴＯ）のような高反射率の金属物質で形成され得るが、これに限定されない。ここで、ＡＰＣ合金は、銀（Ａｇ）、パラジウム（Ｐｄ）、及び銅（Ｃｕ）の合金である。
【００６５】
バンク２７０は、サブ画素ＳＰ１、ＳＰ２、ＳＰ３、ＳＰ４を区画するために、平坦化膜２５０上において第１電極２６１の縁部を覆うように形成され得る。すなわち、バンク２７０は、サブ画素ＳＰ１、ＳＰ２、ＳＰ３、ＳＰ４を定義する画素定義膜として機能する。
【００６６】
サブ画素ＳＰ１、ＳＰ２、ＳＰ３、ＳＰ４のそれぞれは、アノード電極に相当する第１電極、有機発光層、及びカソード電極に相当する第２電極が順次積層され、第１電極からの正孔と第２電極からの電子が有機発光層で互いに結合して発光する領域を示している。この場合、バンク２７０が形成された領域は発光しないので、非発光部と定義され得る。
【００６７】
バンク２７０は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）などの有機膜で形成され得る。
【００６８】
第１電極２６１とバンク２７０上には、有機発光層２６２が形成される。有機発光層２６２は、サブ画素ＳＰ１、ＳＰ２、ＳＰ３、ＳＰ４（例えば、赤色、緑色、青色及び白色のための画素）に共通して形成される共通層であり、白色光を発光する白色発光層であってもよい。この場合、有機発光層２６２は、表示領域全体に開口部が形成されたオープンマスク（ｏｐｅｎ  ｍａｓｋ）を用いて蒸着され得る。
【００６９】
有機発光層２６２が白色光を発光する共通層として形成される場合、２スタック（ｓｔａｃｋ）以上のタンデム構造に形成され得る。スタックのそれぞれは、正孔輸送層（ｈｏｌｅ  ｔｒａｎｓｐｏｒｔｉｎｇ  ｌａｙｅｒ）、少なくとも１つの発光層（ｌｉｇｈｔ  ｅｍｉｔｔｉｎｇ  ｌａｙｅｒ）、及び電子輸送層（ｅｌｅｃｔｒｏｎ  ｔｒａｎｓｐｏｒｔｉｎｇ  ｌａｙｅｒ）を含み得る。
【００７０】
また、スタックの間には電荷生成層が形成され得る。電荷生成層は、下部スタックと隣接して位置するｎ型電荷生成層と、ｎ型電荷生成層上に形成され、上部スタックと隣接して位置するｐ型電荷生成層を含み得る。ｎ型電荷生成層は、下部スタックに電子（ｅｌｅｃｔｒｏｎ）を注入し、ｐ型電荷生成層は、上部スタックに正孔（ｈｏｌｅ）を注入する。ｎ型電荷生成層は、電子輸送能力がある有機ホスト物質にＬｉ、Ｎａ、Ｋ、又はＣｓのようなアルカリ金属、又はＭｇ、Ｓｒ、Ｂａ、又はＲａのようなアルカリ土金属がドープされた有機層であってもよいが、これに限定されない。ｐ型電荷生成層は、正孔輸送能力を有する有機ホスト物質にドーパントがドープされた有機層であってもよい。
【００７１】
図５では、有機発光層２６２がサブ画素ＳＰ１、ＳＰ２、ＳＰ３、ＳＰ４に共通して形成される共通層であって、白色光を発光する白色発光層であるものを例示したが、本発明の実施形態はこれに限定されない。すなわち、有機発光層２６２は、サブ画素ＳＰ１、ＳＰ２、ＳＰ３、ＳＰ４ごとに別々に形成され得る。この場合、第１サブ画素ＳＰ１は、第１色の光を発光する第１発光層を含み、第２サブ画素ＳＰ２は、第２色の光を発光する第２発光層を含み、第３サブ画素ＳＰ３は、第３色の光を発光する第３発光層を含み、第４サブ画素ＳＰ４は、第４色の光を発光する第４発光層を含むように形成され得る。一例として、第１発光層は、赤色光を発光する赤色発光層、第２発光層は、緑色光を発光する緑色発光層、第３発光層は、青色光を発光する青色発光層、第４発光層は、白色光を発光する白色発光層であり得る。この場合、第１から第４発光層は、微細金属マスク（ｆｉｎｅ  ｍｅｔａｌ  ｍａｓｋ、ＦＭＭ）を用いて蒸着され得る。
【００７２】
第２電極２６３は、有機発光層２６２上に形成される。第２電極２６３は、サブ画素ＳＰ１、ＳＰ２、ＳＰ３、ＳＰ４に共通して形成される共通層である。第２電極２６３は、光透過性のＩＴＯ、ＩＺＯのような透明な金属物質（ＴＣＯ、Ｔｒａｎｓｐａｒｅｎｔ  Ｃｏｎｄｕｃｔｉｖｅ  Ｍａｔｅｒｉａｌ）、又はマグネシウム（Ｍｇ）、銀（Ａｇ）、又はマグネシウム（Ｍｇ）と銀（Ａｇ）の合金のような半透過金属物質（Ｓｅｍｉ−ｔｒａｎｓｍｉｓｓｉｖｅ  Ｃｏｎｄｕｃｔｉｖｅ  Ｍａｔｅｒｉａｌ）で形成され得るが、これに限定されない。第２電極２６３が半透過金属物質で形成される場合、マイクロキャビティ（ｍｉｃｒｏ  ｃａｖｉｔｙ）によって出光効率を高めることができる。第２電極２６３上には、キャッピング層（ｃａｐｐｉｎｇ  ｌａｙｅｒ）が形成され得る。
【００７３】
第２電極２６３上には、封止膜２８０が配置される。封止膜２８０は、有機発光層２６２と第２電極２６３に酸素又は水分が浸透することを防止する役目をする。封止膜２８０は、少なくとも１つの無機膜を含み得る。また、封止膜２８０は、異物（ｐａｒｔｉｃｌｅｓ）が無機膜を通じて有機発光層２６２と第２電極２６３に浸入することを防止するために、少なくとも１つの無機膜をさらに含み得る。例えば、封止膜２８０は、図４Ａのように、第１無機膜２８１、有機膜２８２、及び第２無機膜２８３を含み得る。
【００７４】
第１無機膜２８１は、第２電極２６３上に配置される。第１無機膜２８１は、第２電極２６３を覆うように形成される。
【００７５】
有機膜２８２は、第１無機膜２８１上に配置される。有機膜２８２は、異物が第１無機膜２８１を通じて有機発光層２６２と第２電極２６３に浸入することを防止するために、十分な厚さで形成される。
【００７６】
第２無機膜２８３は、有機膜２８２上に配置される。第２無機膜２８３は、有機膜２８２を覆うように形成される。
【００７７】
第１及び第２無機膜２８１、２８３のそれぞれは、シリコン窒化物、アルミニウム窒化物、ジルコニウム窒化物、チタン窒化物、ハフニウム窒化物、タンタル窒化物、シリコン酸化物、アルミニウム酸化物又はチタン酸化物で形成され得る。
【００７８】
封止膜２８０上には、第１から第３カラーフィルター２９１、２９２、２９３と低屈折媒質層２９４が配置され得る。
【００７９】
第１カラーフィルター２９１は、第１サブ画素ＳＰ１に対応するように配置され、第２カラーフィルター２９２は、第２サブ画素ＳＰ２に対応するように配置され、第３カラーフィルター２９３は、第３サブ画素ＳＰ３に対応するように配置される。例えば、第１カラーフィルター２９１は、赤色カラーフィルター、第２カラーフィルター２９２は、緑色カラーフィルター、第３カラーフィルター２９３は、青色カラーフィルターであり得る。
【００８０】
封止膜２８０上に第１から第３カラーフィルター２９１、２９２、２９３を直接形成する場合、第１基板１１１と第２基板１１２の合着時に整列する必要がないだけでなく、別途の接着層が不要であるので、表示パネルの厚さを減らすことができる。また、封止膜２８０上に第１から第３カラーフィルター２９１、２９２、２９３を直接形成する場合、有機発光層２６２と第１から第３カラーフィルター２９１、２９２、２９３のそれぞれの間の距離を減らすことができるので、ブラックマトリックスなしに混色発生を最小化することができる。すなわち、ブラックマトリックスは省略することができる。
【００８１】
低屈折媒質層２９４は、第４サブ画素ＳＰ４に対応するように配置され得る。低屈折媒質層２９４は、第１から第３カラーフィルター２９１、２９２、２９３より屈折率の低い物質で形成され得る。一般に、第１から第３カラーフィルター２９１、２９２、２９３は、１．５ｘ以上の屈折率を有し、よって低屈折媒質層２９４は、１．３ｘ〜１．５ｘの屈折率を有するシロキサン（ｓｉｌｏｘａｎｅ）、１．４ｘ〜１．５ｘの屈折率を有するアクリル（ａｃｒｙｌｉｃ）、１．４ｘの屈折率を有するエポキシ（ｅｐｏｘｙ）、又は１．３ｘの屈折率を有するフッ化物（Ｆｌｕｏｒｉｄｅ）で形成され得る。若しくは、低屈折媒質層２９４は、気泡を注入させることによって気泡粒子（ｈｏｌｌｏｗ  ｐａｒｔｉｃｌｅ）を含むシロキサン（ｓｉｌｏｘａｎｅ）、アクリル（ａｃｒｙｌｉｃ）、エポキシ（ｅｐｏｘｙ）、又はフッ化物（Ｆｌｕｏｒｉｄｅ）で形成され得る。若しくは、低屈折媒質層２９４は、１．０ｘの屈折率を有する空気（ａｉｒ）であってもよい。また、他の低屈折物質を低屈折媒質層２９４に使うことができる。
【００８２】
低屈折媒質層２９４が第１から第３カラーフィルター２９１、２９２、２９３より低い屈折率を有するので、第４サブ画素ＳＰ４と隣り合う画素の有機発光層２６２から発光された光Ｌ１は、第１臨界角以上の角度θ１で入射する場合、低屈折媒質層２９４とカラーフィルターの屈折率の差によって、図５のように、カラーフィルターと低屈折媒質層２９４間の境界で全反射され得る。これにより、第４サブ画素ＳＰ４と隣り合う画素の有機発光層２６２から発光された光Ｌ１は、表示パネル１１０の正面に進行する。よって、第４サブ画素ＳＰ４と隣り合う画素の有機発光層２６２から発光された光の損失を減らすことができる。
【００８３】
また、第４サブ画素ＳＰ４と隣り合う画素の有機発光層２６２から発光された光Ｌ２は、第１臨界角より小さい角度θ２で入射しても、低屈折媒質層２９４とカラーフィルター２９１、２９２、２９３間の屈折率差によって、図５のように表示パネル１１０の正面方向に屈折され得る。よって、第４サブ画素ＳＰ４と隣り合う画素の有機発光層２６２から発光された光の損失を減らすことができる。
【００８４】
また、第４サブ画素ＳＰ４の有機発光層２６２から発光された光Ｌ３が、低屈折媒質層２９４から第４サブ画素ＳＰ４と隣り合う画素のカラーフィルターに進行する場合、混色が発生し得る。しかし、第４サブ画素ＳＰ４の有機発光層２６２から発光された光Ｌ３は、低屈折媒質層２９４から第４サブ画素ＳＰ４と隣り合う画素のカラーフィルターに進行する場合、低屈折媒質層２９４とカラーフィルターの屈折率差によって表示パネル１１０の側面方向に屈折され得る。よって、第４サブ画素ＳＰ４の有機発光層２６２から発光された光Ｌ３による混色を減らすことができる。低屈折媒質層２９４によって混色を防止することができるので、ブラックマトリックスは省略することができる。
【００８５】
一方、第４サブ画素ＳＰ４の幅Ｗ４は、図３のように、第１方向（Ｘ軸方向）への第１サブ画素ＳＰ１の幅Ｗ１、第１方向（Ｘ軸方向）への第２サブ画素ＳＰ２の幅Ｗ２、及び第１方向（Ｘ軸方向）への第３サブ画素ＳＰ３の幅Ｗ３より小さく形成され得る。また、第１カラーフィルター２９１は、第１サブ画素ＳＰ１に対応するように配置され、第２カラーフィルター２９２は、第２サブ画素ＳＰ２に対応するように配置され、第３カラーフィルター２９３は、第３サブ画素ＳＰ３に対応するように配置され、低屈折媒質層２９４は、第４サブ画素ＳＰ４に対応するように配置され得る。よって、低屈折媒質層２９４の幅は、図４Ａのように、第１カラーフィルター２９１の幅、第２カラーフィルター２９２の幅、及び第３カラーフィルター２９３の幅より小さく形成され得る。
【００８６】
第１から第３カラーフィルター２９１、２９２、２９３と低屈折媒質層２９４上には、第２基板１１２が配置される。第２基板１１２は、プラスチックフィルム、ガラス基板、又は封止フィルム（保護フィルム）であり得る。
【００８７】
以上で説明したように、本発明の実施形態は、それぞれの画素Ｐの第４サブ画素ＳＰ４を第１、第２、及び第３サブ画素ＳＰ１、ＳＰ２、ＳＰ３の間に配置する。その結果、本発明の実施形態は、第１、第２、及び第３サブ画素ＳＰ１、ＳＰ２、ＳＰ３の間で第４サブ画素ＳＰ４を用いて白色光を発光することができるので、白色画素による輝度上昇を極大化することができる。
【００８８】
また、本発明の実施形態は、低屈折媒質層２９４を第４サブ画素ＳＰ４に対応するように配置する。その結果、本発明の実施形態は、第４サブ画素ＳＰ４と隣り合う画素の有機発光層２６２から発光された光Ｌ２を、低屈折媒質層２９４とカラーフィルターの屈折率差によって全反射又は屈折させることによって表示パネル１１０の正面方向に進行させることができる。したがって、本発明の実施形態は、第４サブ画素ＳＰ４と隣り合う画素の有機発光層２６２から発光された光の損失を減らすことができる。
【００８９】
その上、本発明の実施形態は、第４サブ画素ＳＰ４の有機発光層２６２から発光された光Ｌ３を、低屈折媒質層２９４とカラーフィルターの屈折率差によって表示パネル１１０の側面方向に屈折させることができる。したがって、本発明の実施形態は、第４サブ画素ＳＰ４の有機発光層２６２から発光された光Ｌ３による混色を減らすことができる。
【００９０】
図４Ｂは、図３の線Ｉ−Ｉ’についての他の例を示す断面図である。
【００９１】
図４Ｂを参照すると、少なくとも１つのブラックマトリックス層３００が、第１、第２、及び第３カラーフィルター２９１、２９２、２９３と低屈折媒質層２９４のうち隣接した２つのものの間に配置される。低屈折媒質層２９４がカラーフィルター２９１、２９２、２９３と低屈折媒質層２９４のうち隣接した２つのものの間にそれぞれ配置されるので、少なくとも１つのブラックマトリックス層３００は、カラーフィルター２９１、２９２、２９３と低屈折媒質層２９４のうち隣接した２つのものの間にそれぞれ順次配置される。ブラックマトリックス層３００は、第４サブ画素ＳＰ４の有機発光層２６２から発光された光Ｌ３による混色を防止することができる。
【００９２】
図４Ｂで、ブラックマトリックス層３００と低屈折媒質層２９４が一緒に使われるものを例示したが、本発明の実施形態はこれに限定されない。ブラックマトリックス層３００は、第４サブ画素ＳＰ４の有機発光層２６２から発光された光Ｌ３による混色を防止するために、低屈折媒質層２９４なしに使用可能である。
【００９３】
図６は、表示領域の画素の他の例を示す平面図である。
【００９４】
図６では、第１方向（ｘ軸方向）に隣り合う画素を第１及び第２画素Ｐ１、Ｐ２と呼び、第２方向（ｙ軸方向）に隣り合う画素を第１及び第３画素Ｐ１、Ｐ３と呼ぶ。
【００９５】
図６を参照すると、画素Ｐ１、Ｐ２、Ｐ３のそれぞれは、第１、第２、第３、及び第４サブ画素ＳＰ１、ＳＰ２、ＳＰ３、ＳＰ４を含む。第１サブ画素ＳＰ１は、第１色の光を発光し、第２サブ画素ＳＰ２は、第２色の光を発光し、第３サブ画素ＳＰ３は、第３色の光を発光し、第４サブ画素ＳＰ４は、第４色の光を発光する。例えば、第１サブ画素ＳＰ１は、赤色光を発光する赤色サブ画素、第２サブ画素ＳＰ２は、緑色光を発光する緑色サブ画素、第３サブ画素ＳＰ３は、青色光を発光する青色サブ画素、第４サブ画素ＳＰ４は、白色光を発光する白色サブ画素であり得るが、本発明の実施形態はこれに限定されない。
【００９６】
第１画素Ｐ１の第１、第２、及び第３サブ画素ＳＰ１、ＳＰ２、ＳＰ３は、図６のように、第１方向（ｘ軸方向）に一列に配列され得る。第１画素Ｐ１の第４サブ画素ＳＰ４は、隣接した第１、第２、及び第３サブ画素ＳＰ１、ＳＰ２、ＳＰ３の間に配置され得る。例えば、図６のように、第１画素Ｐ１の第４サブ画素ＳＰ４は、第１及び第２サブ画素ＳＰ１、ＳＰ２の間、及び第２及び第３サブ画素ＳＰ２、ＳＰ３の間に配置され得る。また、第１画素Ｐ１の第４サブ画素ＳＰ４は、２つの隣り合う画素の隣接した第１、第２、及び第３サブ画素ＳＰ１、ＳＰ２、ＳＰ３の間に配置できる。例えば、第１画素Ｐ１の第４サブ画素ＳＰ４は、第１画素Ｐ１の第３サブ画素ＳＰ３と、それと隣り合う第２画素Ｐ２の第１サブ画素ＳＰ１の間に配置され得る。また、第１画素Ｐ１の第４サブ画素ＳＰ４は、第１画素Ｐ１の第１サブ画素ＳＰ１と、それと隣り合う第３画素Ｐ３の第１サブ画素ＳＰ１の間、第１画素Ｐ１の第２サブ画素ＳＰ２と、それと隣り合う第３画素Ｐ３の第２サブ画素ＳＰ２の間、及び第１画素Ｐ１の第３サブ画素ＳＰ３と、それと隣り合う第３画素Ｐ３の第３サブ画素ＳＰ３の間に配置され得る。
【００９７】
図６では、隣接した画素Ｐ１、Ｐ２、Ｐ３において、第１サブ画素ＳＰ１、第２サブ画素ＳＰ２、及び第３サブ画素ＳＰ３が第１方向（Ｘ軸方向）に同一の順序で配置されたものを例示した。しかし、本発明の実施形態はこれに限定されず、隣接した第２画素Ｐ２と第３画素Ｐ３の一方又は両方で、第１サブ画素ＳＰ１、第２サブ画素ＳＰ２、及び第３サブ画素ＳＰ３が第１画素Ｐ１と違う順序で配置され得る。例えば、隣接した第３画素Ｐ３では、サブ画素が第１方向（Ｘ軸方向）に第２サブ画素ＳＰ２、第３サブ画素ＳＰ３、及び第１サブ画素ＳＰ１の順に配置され得る。
【００９８】
また、図６では、画素の第１、第２、及び第３サブ画素ＳＰ１、ＳＰ２、ＳＰ３が第１方向（Ｘ軸方向）に一列に配列されているが、これに限定されない。画素の第１、第２、及び第３サブ画素ＳＰ１、ＳＰ２、ＳＰ３は、第２方向（Ｙ軸方向）に一列に配列されてもよい。
【００９９】
画素Ｐ１、Ｐ２、Ｐ３のそれぞれの第１方向（Ｘ軸方向）への第４サブ画素ＳＰ４の幅Ｗ４は、１方向（Ｘ軸方向）への第１サブ画素ＳＰ１の幅Ｗ１、１方向（Ｘ軸方向）への第２サブ画素ＳＰ２の幅Ｗ２、及び１方向（Ｘ軸方向）への第３サブ画素ＳＰ３の幅Ｗ３より小さく形成され得る。１方向（Ｘ軸方向）への第４サブ画素ＳＰ４の幅が、１方向（Ｘ軸方向）への第１から第３サブ画素ＳＰ１、ＳＰ２、ＳＰ３のそれぞれの幅Ｗ１／Ｗ２／Ｗ３より小さくても、第４サブ画素ＳＰ４が第１から第３サブ画素ＳＰ１〜ＳＰ３の間に配置されるので、画素Ｐ１、Ｐ２、Ｐ３のそれぞれにおいて、第４サブ画素ＳＰ４の面積は第１から第３サブ画素ＳＰ１〜ＳＰ３のそれぞれの面積とほぼ同一に形成できる。すなわち、本発明の実施形態は、第４サブ画素ＳＰ４を画素Ｐ１、Ｐ２、Ｐ３のそれぞれに適切に配置することによって、第４サブ画素ＳＰ４による輝度上昇を極大化することができる。
【０１００】
図６の線II−II’についての断面図は、第１サブ画素ＳＰ１、第２サブ画素ＳＰ２、及び第３サブ画素ＳＰ３の位置が変更されたことを除き、図４Ａに基づいて説明したものと実質的に同一であるので、これについての詳細な説明は省略する。
【０１０１】
以上で説明したように、本発明の実施形態は、画素Ｐ１、Ｐ２、Ｐ３のそれぞれの第４サブ画素ＳＰ４を、第１、第２、及び第３サブ画素ＳＰ１、ＳＰ２、ＳＰ３のうち隣接したサブ画素の間のそれぞれに配置する。したがって、本発明の実施形態は、第１、第２、及び第３サブ画素ＳＰ１、ＳＰ２、ＳＰ３の間で第４サブ画素ＳＰ４を用いて白色光を発光することができるので、白色画素による輝度上昇を極大化することができる。
【０１０２】
図７は、表示領域の画素のさらに他の例を示す平面図である。
【０１０３】
図７を参照すると、それぞれの画素Ｐは５個のサブ画素、つまり第１、第２、第３、第４、及び第５サブ画素ＳＰ１、ＳＰ２、ＳＰ３、ＳＰ４、ＳＰ５を含む。第１サブ画素ＳＰ１は、第１色の光を発光し、第２サブ画素ＳＰ２は、第２色の光を発光し、第３サブ画素ＳＰ３は、第３色の光を発光し、第４サブ画素ＳＰ４は、第４色の光を発光し、第５サブ画素ＳＰ５は、第１から第３色の光のいずれか１つの光を発光する。例えば、第１サブ画素ＳＰ１は、赤色光を発光する赤色サブ画素、第２サブ画素ＳＰ２は、緑色光を発光する緑色サブ画素、第３サブ画素ＳＰ３は、青色光を発光する青色サブ画素、第４サブ画素ＳＰ４は、白色光を発光する白色サブ画素、第５サブ画素ＳＰ５は、緑色光を発光する緑色サブ画素であり得るが、本発明の実施形態はこれに限定されない。
【０１０４】
それぞれの画素Ｐの第１及び第２サブ画素ＳＰ１、ＳＰ２は、第１方向（ｘ軸方向）に配列され、第１及び第５サブ画素ＳＰ１、ＳＰ５は、第１方向（ｘ軸方向）と交差する第２方向（ｙ軸方向）に配列され得る。また、第２及び第３サブ画素ＳＰ２、ＳＰ３は、第２方向（ｙ軸方向）に配列され、第３及び第５サブ画素ＳＰ３、ＳＰ５は第１方向（ｘ軸方向）に配列され得る。
【０１０５】
それぞれの画素Ｐの第４サブ画素ＳＰ４は、第１、第２、第３、及び第５サブ画素ＳＰ１、ＳＰ２、ＳＰ３、ＳＰ５のうち２つの隣接したサブ画素の間にそれぞれ配置され得る。例えば、それぞれの画素Ｐの第４サブ画素ＳＰ４は、第１方向（Ｘ軸方向）に隣り合う第１及び第２サブ画素ＳＰ１、ＳＰ２の間と、第２方向（Ｙ軸方向）に隣り合う第２及び第３サブ画素ＳＰ２、ＳＰ３の間に配置され得る。また、それぞれの画素Ｐの第４サブ画素ＳＰ４は、第２方向（Ｙ軸方向）に隣り合う第１及び第５サブ画素ＳＰ１、ＳＰ５の間、及び第１方向（Ｘ軸方向）に隣り合う第３及び第５サブ画素ＳＰ３、ＳＰ５の間に配置され得る。この場合、第４サブ画素ＳＰ４の平面上の形態は、十字形態であり得る。
【０１０６】
それぞれの画素Ｐの第１方向（Ｘ軸方向）への第４サブ画素ＳＰ４の幅Ｗ４は、第１方向（Ｘ軸方向）への第１サブ画素ＳＰ１の幅Ｗ１、第１方向（Ｘ軸方向）への第２サブ画素ＳＰ２の幅Ｗ２、第１方向（Ｘ軸方向）への第３サブ画素ＳＰ３の幅Ｗ３、及び第１方向（Ｘ軸方向）への第５サブ画素ＳＰ５の幅Ｗ５より小さく形成され得る。第１方向（Ｘ軸方向）への第４サブ画素ＳＰ４の幅が、第１方向（Ｘ軸方向）への第１から第３及び第５サブ画素ＳＰ１〜ＳＰ３、ＳＰ５のそれぞれの幅Ｗ１／Ｗ２／Ｗ３／Ｗ５より小さくても、第４サブ画素ＳＰ４が第１から第３及び第５サブ画素ＳＰ１〜ＳＰ３、ＳＰ５の間に配置されるので、それぞれの画素Ｐにおいて、第４サブ画素ＳＰ４の面積は第１から第３及び第５サブ画素ＳＰ１〜ＳＰ３、ＳＰ５のそれぞれの面積とほぼ同一に形成できる。すなわち、本発明の実施形態は、第４サブ画素ＳＰ４をそれぞれの画素Ｐに適切に配置することによって、第４サブ画素ＳＰ４による輝度上昇を極大化することができる。
【０１０７】
第１方向（Ｘ軸方向）への幅についての前記説明は、第２方向（Ｙ軸方向）へ幅にも適用可能である。
【０１０８】
図７のIII−III’についての断面図は、第１、第２、第３、及び第４サブ画素ＳＰ１、ＳＰ２、ＳＰ３、ＳＰ４の相対的な位置が変更され、第５サブ画素ＳＰ５が付け加わり、第４カラーフィルターが第５サブ画素ＳＰ５に対応するように配置されたことを除き、図４Ａに基づいて説明したものと実質的に同一であるので、これについての詳細な説明は省略する。
【０１０９】
以上で説明したように、本発明の実施形態は、それぞれの画素Ｐの第１方向（Ｘ軸方向）と第２方向（Ｙ軸方向）に、第４サブ画素ＳＰ４を第１から第３及び第５サブ画素ＳＰ１〜ＳＰ３、ＳＰ５の間に配置する。したがって、本発明の実施形態は、第１、第２、第３及び第５サブ画素ＳＰ１〜ＳＰ３、ＳＰ５の隣接した２つのサブ画素の間のそれぞれで第４サブ画素ＳＰ４を用いて白色光を発光することができるので、白色画素による輝度上昇を極大化することができる。
【０１１０】
図８は、表示領域の画素のさらに他の例を示す平面図である。
【０１１１】
図８では、第１方向（ｘ軸方向）に隣り合う画素を第１及び第２画素Ｐ１、Ｐ２と呼び、第２方向（ｙ軸方向）に隣り合う画素を第１及び第３画素Ｐ１、Ｐ３と呼ぶ。
【０１１２】
図８に示した平面図は、画素Ｐ１、Ｐ２、Ｐ３のそれぞれの第４サブ画素ＳＰ４を除き、図７に基づいて説明したものと実質的に同一である。したがって、画素Ｐ１、Ｐ２、Ｐ３のそれぞれの第１、第２第３及び第５サブ画素ＳＰ１、ＳＰ２、ＳＰ３、ＳＰ５についての詳細な説明は省略する。
【０１１３】
図８を参照すると、第１画素Ｐ１の第４サブ画素ＳＰ４は、第１方向（Ｘ軸方向）と第２方向（Ｙ軸方向）に第１、第２、第３及び第５サブ画素ＳＰ１、ＳＰ２、ＳＰ３、ＳＰ５のうち２つの隣接したサブ画素の間のそれぞれに配置され得る。例えば、図８のように、第１画素Ｐ１の第４サブ画素ＳＰ４は、第１方向（Ｘ軸方向）に隣り合う第１及び第２サブ画素ＳＰ１、ＳＰ２の間、及び第２方向（Ｙ軸方向）に隣り合う第２及び第３サブ画素ＳＰ２、ＳＰ３の間に配置され得る。また、第１画素Ｐ１の第４サブ画素ＳＰ４は、第２方向（Ｙ軸方向）に隣り合う第１及び第５サブ画素ＳＰ１、ＳＰ５の間、及び第１方向（Ｘ軸方向）に第３及び第５サブ画素ＳＰ３、ＳＰ５の間に配置され得る。
【０１１４】
また、第１画素Ｐ１の第４サブ画素ＳＰ４は、第１画素Ｐ１とそれと隣り合う画素の第１、第２、第３及び第５サブ画素ＳＰ１、ＳＰ２、ＳＰ３、ＳＰ５の２つの隣接したサブ画素の間のそれぞれに配置され得る。例えば、図８のように、第１画素Ｐ１の第４サブ画素ＳＰ４は、第１画素Ｐ１の第２サブ画素ＳＰ２と、それと隣り合う第２画素Ｐ２の第１サブ画素ＳＰ１の間、及び第１画素Ｐ１の第３サブ画素ＳＰ３と、それと隣り合う第２画素Ｐ２の第５サブ画素ＳＰ５の間に配置され得る。また、第１画素Ｐ１の第４サブ画素ＳＰ４は、第１画素Ｐ１の第５サブ画素ＳＰ５と、それと隣り合う第３画素Ｐ３の第１サブ画素ＳＰ１の間、及び第１画素Ｐ１の第３サブ画素ＳＰ３と、それと隣り合う第３画素Ｐ３の第２サブ画素ＳＰ２の間に配置され得る。
【０１１５】
画素Ｐ１、Ｐ２、Ｐ３のそれぞれの第１方向（Ｘ軸方向）への第４サブ画素ＳＰ４の幅Ｗ４は、第１方向（Ｘ軸方向）への第１サブ画素ＳＰ１の幅Ｗ１、第１方向（Ｘ軸方向）への第２サブ画素ＳＰ２の幅Ｗ２、第１方向（Ｘ軸方向）への第３サブ画素ＳＰ３の幅Ｗ３、及び第１方向（Ｘ軸方向）への第５サブ画素ＳＰ５の幅Ｗ５より小さく形成され得る。第１方向（Ｘ軸方向）への第４サブ画素ＳＰ４の幅が、第１方向（Ｘ軸方向）への第１から第３及び第５サブ画素ＳＰ１〜ＳＰ３、ＳＰ５のそれぞれの幅Ｗ１／Ｗ２／Ｗ３／Ｗ５より小さくても、第４サブ画素ＳＰ４が第１から第３及び第５サブ画素ＳＰ１〜ＳＰ３、ＳＰ５の間に配置されるので、画素Ｐ１、Ｐ２、Ｐ３のそれぞれにおいて、第４サブ画素ＳＰ４の面積は第１から第３及び第５サブ画素ＳＰ１〜ＳＰ３、ＳＰ５のそれぞれの面積とほぼ同一に形成できる。すなわち、本発明の実施形態は、第４サブ画素ＳＰ４を画素Ｐ１、Ｐ２、Ｐ３のそれぞれに適切に配置することによって、第４サブ画素ＳＰ４による輝度上昇を極大化することができる。
【０１１６】
第１方向（Ｘ軸方向）への幅についての前記説明は、第２方向（Ｙ軸方向）への幅にも適用可能である。
【０１１７】
図８の線IV−IV’についての断面図は、第１、第２、第３サブ画素ＳＰ１、ＳＰ２、ＳＰ３の相対的な位置が変更され、第５サブ画素ＳＰ５が付け加わり、第４カラーフィルターが第５サブ画素ＳＰ５に対応するように配置されたことを除き、図４Ａに基づいて説明したものと実質的に同一であるので、これについての詳細な説明は省略する。
【０１１８】
また、図４Ａを参照すると、低屈折媒質層２９４が第４サブ画素ＳＰ４に配置される。その結果、第４サブ画素ＳＰ４と隣り合う画素の有機発光層２６２から発光された光が、カラーフィルターと低屈折媒質層２９４間の屈折率差によって、全反射又は屈折されるので、表示パネル１１０の前面方向に光が進行する。したがって、第４サブ画素ＳＰ４と隣り合う画素の有機発光層２６２から発光された光の損失を防止することができる。
【０１１９】
また、第４サブ画素ＳＰ４の有機発光層２６２から発光された光は、第４サブ画素ＳＰ４の有機発光層２６２から発光された光による混色を防止するために、カラーフィルターと低屈折媒質層２９４の屈折率差によって表示パネル１１０の後面方向に屈折され得る。
【０１２０】
本明細書で、第１、第２、第３、及び第５サブ画素ＳＰ１、ＳＰ２、ＳＰ３、ＳＰ５は、四角形のものを例示し、第４サブ画素ＳＰ４は、折り曲げられた領域、例えば複数のＬ形の折曲領域又は十字形の折曲領域を含むものを例示したが、本発明の実施形態はこれに限定されない。第１、第２、第３、及び第５サブ画素ＳＰ１、ＳＰ２、ＳＰ３、ＳＰ５と第４サブ画素ＳＰ４は、他の形態を有することができる。図９Ａ及び図９Ｂは、第１、第２、第３、及び第５サブ画素ＳＰ１、ＳＰ２、ＳＰ３、ＳＰ５と第４サブ画素ＳＰ４の形態の２つの他の例を示している。
【０１２１】
また、本明細書で、第４サブ画素ＳＰ４は、１つの統合された画素構造を有するものとして図示して説明したが、本発明の実施形態はこれに限定されない。第４サブ画素ＳＰ４は、複数の分離された領域、例えば他の層で互いに電気的に接続された、又は電気的に分離された複数の分離されたＬ形の領域を含み得る。すなわち、白色光の複数の第４サブ画素が第１、第２、第３、及び第５サブ画素ＳＰ１、ＳＰ２、ＳＰ３、ＳＰ５の間に配置され得る。
【０１２２】
以上、添付図面に基づいて本発明の実施形態をより詳細に説明したが、本発明は、必ずしもこのような実施形態に限定されるものではなく、本発明の技術思想を逸脱しない範疇内で様々に変形して実施可能である。したがって、本発明で開示した実施形態は、本発明の技術思想を限定するためのものではなく、説明するためのものであり、このような実施形態によって本発明の技術思想の範囲が限定されるものではない。したがって、以上で記述した実施形態は全ての面で例示的なものであり、限定的なものではないと理解しなければならない。本発明の保護範囲は、特許請求の範囲によって解釈されなければならず、それと同等な範囲内にある全ての技術思想は本発明の権利範囲に含まれるものと解釈されなければならない。
【符号の説明】
【０１２３】
１００    表示装置
１１０    表示パネル
１１１    下部基板
１１２    上部基板
１２０    ゲート駆動部
１３０    ソースドライブＩＣ
１４０    軟性フィルム
１５０    回路基板
１６０    タイミング制御部
２１０    薄膜トランジスタ
２１１    アクティブ層
２１２    ゲート電極
２１３    ソース電極
２１４    ドレイン電極
２２０    ゲート絶縁膜
２３０    層間絶縁膜
２４０    保護膜
２５０    平坦化膜
２６０    有機発光素子
２６１    第１電極
２６２    有機発光層
２６３    第２電極
２７０    バンク
２８０    封止膜
２８１    第１無機膜
２８２    有機膜
２８３    第２無機膜
２９１    第１カラーフィルター
２９２    第２カラーフィルター
２９３    第３カラーフィルター
２９４    低屈折媒質層
【図１】
2018092921.tif 000003
【図２】
2018092921.tif 000004
【図３】
2018092921.tif 000005
【図４Ａ】
2018092921.tif 000006
【図４Ｂ】
2018092921.tif 000007
【図５】
2018092921.tif 000008
【図６】
2018092921.tif 000009
【図７】
2018092921.tif 000010
【図８】
2018092921.tif 000011
【図９Ａ】
2018092921.tif 000012
【図９Ｂ】
2018092921.tif 000013